Podtech/llm-jp-corpus-v4-ja_patent huggingface dataset:
(57)【要約】【課題】地震時に基礎下に滑りを生じさせて建物を免震する基礎下免震構造において、免震時に建物が回転運動するのを効果的に抑制することができる基礎下免震構造を提供する。【解決手段】建物のコンクリート基礎１が発泡樹脂板４を介して地盤２上に支承されると共に、該発泡樹脂板４と地盤基礎３との間に、重ね合わせ状態にした上下の滑りシート５，５が介設され、地震による横揺れによって上下の滑りシート５，５間に滑りを生じて建物が免震されるようになされている。【選択図】    図１
2011163066.tif 000002
【特許請求の範囲】
【請求項１】
建物のコンクリート基礎が発泡樹脂板を介して地盤上に支承されると共に、該発泡樹脂板と地盤基礎との間に、重ね合わせ状態にした上下の滑りシートが介設され、地震による横揺れによって上下の滑りシート間に滑りを生じて建物が免震されるようになされていることを特徴とする基礎下免震構造。
【発明の詳細な説明】
【技術分野】
【０００１】
本発明は、基礎下免震構造に関する。
【背景技術】
【０００２】
地盤にコンクリートやモルタルからなるならし層が形成されると共に、該ならし層の上に塩化ビニルシートを介してコンクリート基礎が支承され、地震による横揺れによって塩化ビニルシートとならし層の間に滑りを生じて建物が免震されるようになされた基礎下免震構造は、従来より提案されている。
【先行技術文献】
【特許文献】
【０００３】
【特許文献１】特開平１１−１４１１８３号公報
【発明の概要】
【発明が解決しようとする課題】
【０００４】
しかしながら、ならし層もコンクリート基礎もいずれも硬いものであるため、地震による横揺れによって建物の耐力壁が水平力を受けると、力の伝達過程において、ならし層とコンクリート基礎との間の面圧にバラツキを生じ、それが滑り面における抵抗力のバラツキとなって、建物に回転運動を生じさせ、応答変位を増大させてしまうという問題がある。
【０００５】
本発明は、上記のような問題点に鑑み、地震時に基礎下に滑りを生じさせて建物を免震する基礎下免震構造において、免震時に建物が回転運動するのを効果的に抑制することができる基礎下免震構造を提供することを課題とする。
【課題を解決するための手段】
【０００６】
上記の課題は、建物のコンクリート基礎が発泡樹脂板を介して地盤上に支承されると共に、該発泡樹脂板と地盤基礎との間に、重ね合わせ状態にした上下の滑りシートが介設され、地震による横揺れによって上下の滑りシート間に滑りを生じて建物が免震されるようになされていることを特徴とする基礎下免震構造によって解決される。
【０００７】
この構造では、地震による横揺れによって建物の耐力壁が水平力を受けると、力の伝達過程において、発泡樹脂板の鉛直方向におけるバネ作用によって、発泡樹脂板と地盤基礎との間の面圧のバラツキが緩和され、上下の滑りシート間の滑り面における抵抗力が一定化されて、免震時に建物が回転運動してしまうのを効果的に抑制することができる。
【０００８】
しかも、発泡樹脂板と地盤基礎との間に、重ね合わせ状態にした上下の滑りシートが介設され、上下の滑りシート間に滑りを生じさせて建物を免震するようになされているので、スムーズな滑りを実現することができて、発泡樹脂板がコンクリート基礎によって傷付けられてしまうのを防ぐことができる。
【０００９】
加えて、上記のような発泡樹脂板を採用することにより、該発泡樹脂版の鉛直方向におけるバネ作用によって、地震や環境振動による縦揺れも緩和することができる。
【００１０】
さらに、本構造では、滑り面の上に発泡樹脂板を設け、その上に建物のコンクリート基礎が設けられているので、建物の荷重により発泡樹脂板が変形したとしても、発泡樹脂板の上面部が変形するだけで、滑り面となる発泡樹脂板の下面部は変形しないため、免震時に滑り面において影響を与えることがない。
【発明の効果】
【００１１】
本発明は、以上のとおりのものであるから、地震時に基礎下に滑りを生じさせて建物を面震する基礎下免震構造において、免震時に建物が回転運動するのを効果的に抑制することができる。しかも、免震中に発泡樹脂板がコンクリート基礎によって傷付けられてしまうこともなく、また、地震や環境振動による縦揺れも緩和することができる。さらに、発泡樹脂板の変形の影響を受けることなく、免震性能を発揮することができる。
【図面の簡単な説明】
【００１２】
【図１】実施形態の基礎下免震構造を示すもので、図（イ）は断面側面図、図（ロ）は図（イ）のＡ部拡大分解側面図である。
【発明を実施するための形態】
【００１３】
次に、本発明の実施形態を図面に基づいて説明する。
【００１４】
図１に示す実施形態の基礎下免震構造において、１は建物のコンクリート基礎、２は地盤であり、地盤２の上には、地盤基礎３が設けられ、該地盤基礎３の上に、発泡ポリプロピレンや発泡ポリスチレンなどからなる発泡樹脂板４を介して、コンクリート基礎１が支承されており、発泡樹脂板４と地盤基礎３との間には、重ね合わせ状態にした上下の滑りシート５，５が介設されて、地震による横揺れによって上下の滑りシート５，５間に滑りを生じて建物が免震されるようになされている。
【００１５】
発泡樹脂板４の平面形状は、発泡樹脂板の上に設けられる建物のコンクリート基礎１の底面と略同形状若しくは大きく設定されている。
【００１６】
滑りシート５，５は、例えばフッ素樹脂系シートなどからなり、上側の滑りシート５の上面側、及び、下側の滑りシート５の下面側にはそれぞれ、水分や下地の不陸等から滑りシート５，５を保護する保護シート６，６が必要に応じて設けられる。
【００１７】
発泡樹脂板４の厚さ寸法は、例えば５０ｍｍであり、シート５，５，６，６の合計厚さ寸法は、例えば６ｍｍ程度であり、コンクリート基礎１のフーチング部の厚さ寸法は、例えば１５５ｍｍである。
【００１８】
上記の基礎下免震構造では、地震による横揺れによって建物の耐力壁が水平力を受けると、力の伝達過程において、発泡樹脂板４の鉛直方向におけるバネ作用によって、発泡樹脂板４と地盤基礎３との間の面圧のバラツキが緩和され、上下の滑りシート５，５間の滑り面における抵抗力が一定化されて、免震時に建物が回転運動してしまうのを効果的に抑制することができる。
【００１９】
しかも、発泡樹脂板４と地盤基礎３との間に、重ね合わせ状態にした上下の滑りシート５，５が介設され、上下の滑りシート５，５間に滑りを生じさせて建物を免震するようになされているので、スムーズな滑りを実現することができて、発泡樹脂板４が地盤基礎３によって傷付けられてしまうのを防ぐことができる。
【００２０】
加えて、上記のような発泡樹脂板４を採用することにより、該発泡樹脂板４の鉛直方向におけるバネ作用によって、地震や、交通振動などの環境振動による縦揺れも緩和することができる。
【００２１】
さらに、本構造では、滑り面の上に発泡樹脂板を設け、その上に建物のコンクリート基礎が設けられているので、建物の荷重により発泡樹脂板が変形したとしても、発泡樹脂板の上面部が変形するだけで、滑り面となる発泡樹脂板の下面部が部分的に変形しないため、免震時に滑り面において影響を与えることがない。
【符号の説明】
【００２２】
１・・・コンクリート基礎
２・・・地盤
３・・・地盤基礎
４・・・発泡樹脂板
５・・・滑りシート
【図１】
2011163066.tif 000003
(57)【要約】      （修正有）【課題】入口ドアの下部、沓ずりに付いた傷を溶接、研磨作業を不要とし仕上げ材を傷付ける事なく、短時間で作業を終える事ができ、仕上りが良い補修方法を提供する。【解決手段】従来の改修工事のカバー工法と異なり、火器、電動工具を使用する事なく、新築建設現場の工事中に傷付いた沓ずりの場所と数量を確認し、鋼製建具図面より形状、寸法をもとにステンレス製鋼板をベンダーで加工製作し、現場に納入して、沓ずり接着カバー工法で施工する。【選択図】図３
2011163096.tif 000002
【特許請求の範囲】
【請求項１】
従来の改修工事のカバー工法と異なり、新築建設現場での工事進行中に出入口ドアの下部、沓ずりに付いた傷、へこみを補修するものである。
既存の沓ずりの形状のもとにステンレス製沓ずり接着カバー鋼板を製作する。したがって現場調査なしで現場施工までの日数が短縮できる。
【発明の詳細な説明】
【技術分野】
【０００１】本願発明は新築建設現場の工事中に鋼製建具ドアの傷付いた沓ずりに同型、同剤のステンレス鋼板に強力接着剤を塗布し張り付ける工法である。
【背景技術】
【０００２】新築建設現場の進行中に鋼製建具出入口ドア下部にステンレス製の沓ずりの見切材が付いているのですが、工事現場ではどうしても、ドア枠の開口よりの資材の搬入、工具等の落下等で沓ずりがいつの間に傷付いたり、へこんだりしている。長年にわたり、どうしても避けられないのが現状である。
【発明の概要】
【発明が解決しようとする課題】
【０００３】現在、新築建設現場での沓ずりの傷、へこみの補修はへこみの部分を溶接で盛り付けて研磨機材などを使用し大変、手間と時間を要し引き渡し前の仕上った物品などを傷付ける可能性がある。
【課題を解決する為の手段】
【０００４】本願発明は火器、電動工具を使用する事なく傷付いた沓ずりの上から強力接着剤を塗布後、被せて完了の上、仕上がりが奇麗で同型、同材のステンレス鋼板を使用する為、強度もあり補修施工を簡略化するものである。
【発明の効果】
【０００５】本願発明はステンレス製で厚みが０．８ｍ／ｍの鋼板を既存のステンレス沓ずりに強力接着剤を塗布して直に張る為、作業性が良く仕上りが奇麗で強度もある。
【図面の簡単な説明】
【０００６】
【図１】本願発明の沓ずり接着カバー工法に係る出入口鋼製建具の概略構成図である。
【図２】新築建設現場の既存の出入口鋼製建具の下枠ステンレス製沓ずり部分に傷、へこみの補修をする為に本願発明の沓ずり接着カバー工法で補修をする概略構成図である。
【図３】本願発明の沓ずり接着カバー工法の施工概略図である。
【発明を実施するための形態】
【０００７】本願発明は従来の改修工事のカバー工法と異なり、新築建設現場での工事進行中に出入口ドアの下部、沓ずりに付いた傷、へこみを補修するものである。
既存の沓ずりの形状のもとにステンレス製沓ずり接着カバー鋼板を製作する。したがって現場調査なしで現場施工までの日数が短縮できる。
【符号の説明】
【０００８】Ａ      既存の鋼製建具の下枠沓ずり。
Ａ−１  本願発明のステンレス製沓ずり接着カバー鋼板。
Ａ−２  本願発明のステンレス製沓ずり接着カバー鋼板。
１      既存の鋼製建具の縦枠。
２      既存の鋼製建具の扉。
３      既存の鋼製建具の気密ゴム。
４      既存の鋼製建具の上枠。
５      コンクリート（モルタル）仕上り。
６      タイル、石板  仕上り。
７      強力接着剤。
８      傷、へこみ。
【図１】
2011163096.tif 000003
【図２】
2011163096.tif 000004
【図３】
2011163096.tif 000005
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
従来の改修工事のカバー工法と異なり、新築建設現場での工事進行中に出入口ドアの下部、沓ずりに付いた傷、へこみを補修するものである。
既存の沓ずりの形状のもとにステンレス製沓ずり接着カバー補修鋼板を製作する。したがって現場調査なしで現場施工までの日数が短縮できる。
【手続補正２】
【補正対象書類名】明細書
【補正対象項目名】全文
【補正方法】変更
【補正の内容】
【発明の詳細な説明】
【技術分野】
【０００１】本願発明は新築建設現場の工事中に鋼製建具ドアの傷付いた沓ずりに同型、同材のステンレス鋼板に強力接着剤を塗布し張り付ける補修工法である。
【背景技術】
【０００２】新築建設現場の進行中に鋼製建具出入口ドア下部にステンレス製の沓ずりの見切材が付いているのですが、工事現場ではどうしても、ドア枠の開口よりの資材の搬入、工具等の落下等で沓ずりがいつの間に傷付いたり、へこんだりしている。長年にわたり、どうしても避けられないのが現状である。
【発明の概要】
【発明が解決しようとする課題】
【０００３】現在、新築建設現場での沓ずりの傷、へこみの補修はへこみの部分を溶接で盛り付けて研磨機材などを使用し大変、手間と時間を要し引き渡し前の仕上った物品などを傷付ける可能性がある。
【課題を解決する為の手段】
【０００４】本願発明の沓ずり接着カバー補修は火器、電動工具を使用する事なく傷付いた沓ずりの上から強力接着剤を塗布後、被せて完了の上、仕上がりが奇麗で同型、同材のステンレス鋼板を使用する為、強度もあり補修施工を簡略化するものである。
【発明の効果】
【０００５】本願発明の沓ずり接着カバー補修はステンレス製で厚みが０．８ｍｍの鋼板を既存のステンレス沓ずりに強力接着剤を塗布して直に張る為、作業性が良く仕上りが奇麗で強度もある。
【図面の簡単な説明】
【０００６】
【図１】本願発明の沓ずり接着カバー補修に係る出入口鋼製建具の概略構成図である。
【図２】新築建設現場の既存の出入口鋼製建具の下枠ステンレス製沓ずり部分に傷、へこみの補修をする為に本願発明の沓ずり接着カバー補修をする概略構成図である。
【図３】本願発明の沓ずり接着カバー補修の施工概略図である。
【発明を実施するための形態】
【０００７】本願発明の沓ずり接着カバー補修は従来の改修工事のカバー工法と異なり、新築建設現場での工事進行中に出入口ドアの下部、沓ずりに付いた傷、へこみを補修するものである。既存の沓ずりの形状のもとにステンレス製沓ずり接着カバー補修鋼板を製作する。したがって現場調査なしで現場施工までの日数が短縮できる。
【符号の説明】
【０００８】Ａ      既存の鋼製建具の下枠沓ずり。
Ａ−１  本願発明のステンレス製沓ずり接着カバー補修鋼板。
Ａ−２  本願発明のステンレス製沓ずり接着カバー補修鋼板。
１      既存の鋼製建具の縦枠。
２      既存の鋼製建具の扉。
３      既存の鋼製建具の気密ゴム。
４      既存の鋼製建具の上枠。
５      コンクリート（モルタル）仕上り。
６      タイル、石板  仕上り。
７      強力接着剤。
８      傷、へこみ。
(57)【要約】      （修正有）【課題】安全かつ容易に扱え、簡易・便利性機能を持たせた、衛生的で経済的なステンレス製の脱着式２槽シンクを提供する。【解決手段】２槽シンクである本体１に、排水口２と仕切板４を設ける事により２槽化し、補強部材５を伴うアジャスター６によりおおよその１槽シンクの深さと水勾配に対応する。蛇腹菅は既存１槽シンクの排水口へ接続する。また、持ち手３により脱着をより容易とする。また、２槽シンクを既設１槽シンクの槽内へ置く事により、シンクを２槽化する。【選択図】図１
2011163099.tif 000002
【特許請求の範囲】
【請求項１】
既設１槽シンクの槽内へ置くことにより２槽シンクとして使用する機能を有し、バケツ等を置いたり持ち上げたりするのと同様の動作を行う事により脱着を容易とした、ステンレス製による脱着する事を特徴とする、脱着式２槽シンク。
【発明の詳細な説明】
【技術分野】
【０００１】本発明は、既設１槽シンクの槽内へ置くことにより２槽シンクとして使用する機能を有し、バケツ等を置いたり持ち上げたりするのと同様の動作を行う事により脱着を容易とした、ステンレス製による脱着する事を特徴とする、脱着式２槽シンクに関する。
【背景技術】
【先行技術文献】
【０００２】従来品におけるシンクには、１槽シンクは１槽シンクとしての使用方法に言及されていた為、２槽シンクを欲する場合には２槽シンクとの入れ替え作業が必要であった。また可動式を含むもう１台の１槽シンクを追加することよる方法は、狭小スペースの場合、その設置は大変困難であった。（例えば特許文献１）
【特許文献１】特許出願平１０−２０１３５
【発明の概要】
【発明が解決しようとする課題】
【０００３】しかしながら従来品におけるシンクの２槽化方法には、厨房スペースが狭小である為に１槽シンクをもう１台追加するということが困難な場合や、設置工事を含む設備投資額において困難な場合があった。特に、新規設置するという点で不利がある。
【課題を解決するための手段】
【０００４】本発明は、軽量・衛生的で、便利性・携帯性と量産性の機能を有しているステンレス製の脱着式２槽シンクであって、バケツ等を置いたり持ち上げたりするのと同様の動作を行うことにより脱着を容易とした、錆び難いステンレス仕様を特徴とする、簡易性で経済的な脱着式２槽シンクを提供することで上記課題を解決する。
【発明の効果】
【０００５】本発明は特に既設１槽シンクの槽内へ置く事により２槽シンクとして使用する機能を有し、バケツ等を置いたり持ち上げたりするのと同様の動作を行う事により脱着を容易とした、脱着する効果を得るのに極めて有効である。
【発明を実施するための形態】
【０００６】本発明の脱着式２槽シンクは、図１、図２、図３に示すように、２槽シンクである本体１に、排水口２と仕切板４を設ける事により２槽化し、補強部材５を伴うアジャスター６によりおおよその１槽シンクの深さと水勾配に対応する。蛇腹菅７は既存１槽シンクの排水口へ接続する。また、持ち手３により脱着をより容易とする。
本発明は以上のような構造である。
【実施例】
【０００７】図１、図２、図３に示す本体１は、外寸法を一般普及品である一槽シンクの各槽内寸法より２０ｍｍ．程度のサイズを縮小する事で好適な組み合わせとして標準化する。この事により設計、施工製作が容易になる。また排水口より下部の排水菅は蛇腹菅とし、その蛇腹菅外形より２０ｍｍ．程度の寸法をプラスしたアジャスターの高さを保持するのが最適である。素材としてのステンレス製部材は耐蝕性があるため、長期使用時間を確保し易い為である。【０００８】以上、本発明の実施の形態及び実施例を説明したが、本発明の範囲はこれに限定されるものではない。例えば本体１と持ち手３との組み合わせ設置位置や持ち手形状、あるいは本体１の全体寸法、補強部材５とアジャスター６の形状や設置位置、排水口と蛇腹菅の設置位置は、状況に応じて適宜選択されるものである。【０００９】また、脱着機能を持つ２槽シンクという特性を活かし、既存の１槽シンクへの利用という一面に限らず、一般通常的に単独使用しても良い。【００１０】さらに、発明を実施する為の最良の形態と実施例ではステンレス製について説明しているが、ステンレスに限られたものではなく、その他例えばアルミ材、硬質塩化ビニール材、樹脂材、陶器等、適当な任意の材料の物が利用でき、形状、大きさも任意に選定する事が出来る。また用途も厨房用品としての利用を目的とする物に限られず、主として自然環境に配慮する事を前提とした用途、補助器具として広く用いる事が可能である。
【産業上の利用可能性】
【００１１】本発明は、厨房用品を製造する産業で利用される。
【図面の簡単な説明】
【００１２】
【図１】本発明を実施するための最良の第一の形態の外観斜視図である。
【図２】本発明を実施するための最良の第一の形態の平面図である。
【図３】本発明を実施するための最良の第一の形態の断面図である。
【符号の説明】（１）    脱着式２槽シンク本体
（２）    排水口
（３）    持ち手
（４）    槽仕切板
（５）    補強部材
（６）    アジャスター
（７）    蛇腹菅
【図１】
2011163099.tif 000003
【図２】
2011163099.tif 000004
【図３】
2011163099.tif 000005
(57)【要約】      （修正有）【課題】現在クリーンエネルギーは水力、ソーラー、風力、海洋等が主力を成しているが気候変化に左右される問題点がある。又設置場所の限定もある。気候変化や設置場所の問題点を解決しようとするものである。【解決手段】水槽内に回転車輪１設置し外周にエアータンク２を取り付けして浮力を利用して回転させエネルギーを得るものである。半円形の樋３を設けてエアータンク通過できる様にする（樋の中に水が入らない様に水封を講じる）。水位１０は樋に水が入らない様に低くする。水張りする。浮力により回り出すと樋の中より次のエアータンクが次々と出て連続して回転する。直形１メートルの車輪に２０個のタンク取り付け可能である。１０００ｃｃのタンクで２キロ浮力がある。タンク圧力を高くするとさらに浮力が増大する。２４時間安定供給でき設置場所の問題点も解決する。【選択図】図１
2011163335.tif 000002
【特許請求の範囲】
【請求項１】
車輪本体外周にエアータンク取り付けし浮力で回転できる様にすること
【請求項２】
エアータンクの前後を斜めにし  内側と外側に丸みを持たせること
【請求項３】
水面より上にエアータンクの入り口を設けた半円形の樋を設けること
【請求項４】
樋の水抜用の配管と弁を設ける
【発明の詳細な説明】
【技術分野】
【０００１】  本発明はエアータンクの浮力をエネルギーとして車輪回転させ動力源とすることを目的とする物である
【背景技術】
【０００２】  クリーンエネルギー開発は  風力  ソーラー  海流  などを利用したものが主流なして居るが  効率の悪いのが欠点である  設置場所も限定される
【発明が解決しようとする課題】
【０００３】  風力発電は風が無いと回転せず  ソーラーは雨や夜間は使用できない  海洋では波の状態に左右される問題がある
【問題解決するための手段】
【０００４】  本発明を図面にて説明すると
図１  本発明の横面図である  水槽は断面図である
図２  車輪本体１  エアータンク２  樋３  軸シャフト４  水封用の凹１１  水封用凸部１２  の横断面図である
エアータンク作りは内と外側に丸みもたせる  樋内をスムースに通過できる様にする為である  又  前方は内側に後方は外側に斜めにする  水圧を少なくすのと  エアータンク多く取り付けできる様する為である
半円形の樋３は横より水が入らない様に水封してある  又  樋の入り口は水面より上にする  水が入らない様する為である  ５水抜弁  ６樋内水抜弁  ７は自動給水弁  ９樋取り付部  １０水面  １１水封用の凹  １２水封用の凸部である  ８は水槽の壁断面部である
以上の様な構造で作り水槽内に入れ水張りする  回転は時計廻りになる  エアータンクの浮力テストは１０００ｃｃエアータンクで２キロの浮力がある  タンク圧力を高くすると  より浮力が強くなる  直形１メートルの本体に２０個のタンク取り付け可能である
運転方法
１，  ５弁閉める  ２，  ７弁開けて水張り開始する  ３，  ６弁開水張り３分１位で回転し始める  （樋内には水無い状態）
回転し始めると樋内より引っ張り出された  次のエアータンクが新動力源として浮上を始めるので連続して回転し続ける  回転し始めたら６弁閉める  樋内への少しの漏水はエアータンクが水槽内へ押し出してしまう  停止は水抜きする  又はブレーキを設ける
【発明の効果】
【０００５】  ２４時間安定した  クリーンエネルギー得られる設置場所限定されないエアータンクの圧力を高くしたり  規模大きくする事により  家庭から工場まで又は車まで使用可能性が有ります
【図面の簡単な説明】
【０００６】
【図１】本発明の横面図である
【図２】本発明の横断面図である
【符号の説明】
【０００７】１，本体車輪                ７，給水弁
２，エアータンク            ８，水槽の壁
３，樋                      ９，樋の取り付け部
４，軸シャフト            １０，水面
５，水抜き弁              １１，水封溝の凹部
６，樋内の水抜き弁        １２，水封用の凸部
【図１】
2011163335.tif 000003
【図２】
2011163335.tif 000004
【手続補正書】
【提出日】平成22年7月22日(2010.7.22)
【手続補正１】
【補正対象書類名】明細書
【補正対象項目名】０００４
【補正方法】変更
【補正の内容】
【０００４】本発明の図１は横面図である  水槽は１部断面図である  図２は横断面図である
図１にて説明すると  １の回転車輪外周部に  ２エアータンク取り付けし  ３の半円形の樋を設けた構造物を  水槽内に設置した物のである
樋上部から樋内に水が入らない様に水槽内水位は  自動給水弁にて調整してエアータンク入り口より低くする  又樋の横より水が侵入しない様にする  下のエアータンク出口は水逆流しない様にする（実用新案出願中）
以上の様な構造物を水槽内に設置してエアータンクの浮力利用して車輪回転させ動力源にするものである
起動方法は  ７の給水弁開にして水槽に水張りする  水張り後  ６の樋水抜き弁を開にして樋内の水抜きする  すると水槽と樋内との水圧差が生じ  水槽内のエアータンクの浮力により車輪が時計回りに回転し始める  すると樋より引き出されたエアータンクが新エネルギーと成り回転し続けるものである  ６水抜き弁閉める  少しの樋内への水漏れはエアータンクが水槽へ押し出してしまい問題はない  停止は樋内への水張り  又は水槽の水抜きをする
エアータンクの前後を斜めにする  水圧の減少とタンク多く取り付け出来る様する為  エアータンク内側と外側に丸み持たせる取り付けと樋内スムーズに回転させる為直形１ｍの回転車輪で２４個のエアータンク取り付け出来２０ｋの浮力ある  エアータンク内の圧力上げたり横に大きくする事により８０ｋ位まで浮力高められる
送電線設備の必要が無くなる  火石燃料使用しないので環境に大きく貢献できる
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
回転車輪本体の外周にエアータンク取り付けし  水槽と樋内の水圧差利用して水槽内のエアータンクを浮力させ回転を得  連続して永久的な動力源をえること
【請求項２】
回転時の水圧減じる為に  エアータンクの前後を斜めにする  取り付けと回転をスムーズにする為に内側と外側に丸みを持たせる
【請求項３】
水面より上にエアータンクの入り口を設け  横より水侵入しない様に水封をし下より水が逆流しない様にした  半円形の樋を設けること
【請求項４】
樋内の水抜き用の配管と弁を設置すること
(57)【要約】【課題】この発明は、レシプロエンジン他、動力機構にとっての高効率、低燃費という課題に対し、同じ磁極同士が反発する特性を上下運動、回転運動に転換させる機構を提供する。に関するものである。【解決手段】ピストン（１）、クランク（２）、コンロッド（３）、これら全てを同じ磁極素材のものにする。もしくはピストン（１）、クランク（２）、コンロッド（３）、これら全ての一部分を同じ磁極素材のものにすることを特徴とする。【選択図】図１
2011163337.tif 000002
【特許請求の範囲】
【請求項１】
レシプロエンジン構造において、上下運動するピストンが下死点付近で回転運動するクランクと接近する際、ピストン（１）クランク（２）共に磁極の同じ磁気素材にする、もしくはピストン（１）クランク（２）共に一部分を同じ磁極の磁気素材にしたものを用いることで生まれる反発力を上下運動、回転運動に転換させる。
【請求項２】
レシプロエンジン構造において、上下運動するピストンが下死点付近で回転運動するクランクと接近する際、コンロッドとクランクも接近し、コンロッド（３）クランク（２）共に磁極の同じ磁気素材にする、もしくはコンロッド（３）クランク（２）共に一部分を同じ磁極の磁気素材にしたものを用いることで生まれる反発力を上下運動、回転運動に転換させる。
【発明の詳細な説明】
【技術分野】
【０００１】  この発明は、レシプロエンジン構造において、同じ磁極同士が反発する特性を上下運動、回転運動に転換させる機構に関するものである。
【背景技術】
【０００２】  レシプロエンジン構造において、同じ磁極同士が反発する特性を上下運動、回転運動に転換させることはなかった。
【発明が解決しようとする課題】
【０００３】  レシプロエンジン他、燃料を使用する動力機構にとって、高効率、低燃費は永遠の課題である。本発明は以上の課題に取り組むものである。
【課題を解決するための手段】
【０００４】  ピストン（１）、クランク（２）、コンロッド（３）、これら全てを同じ磁極素材のものにする。もしくはピストン（１）、クランク（２）、コンロッド（３）、これら全ての一部分を同じ磁極素材のものにする。
【発明の効果】
【０００５】  同じ磁極同士が反発する特性を上下運動、回転運動に転換させ、高効率、低燃費を達成させることができた。
【図面の簡単な説明】
【０００６】
【図１】断面図
【図２】断面図
【発明を実施するための形態】
【０００７】  図１のように上下運動するピストンが下死点付近で回転運動するクランクと接近する際、ピストン（１）クランク（２）共に磁極の同じ磁気素材にする、もしくはピストン（１）クランク（２）共に一部分を同じ磁極の磁気素材にしたものを用いることで生まれる反発力を上下運動、回転運動に転換させる。
もしくは図２のように上下運動するピストンが下死点付近で回転運動するクランクと接近する際、コンロッドとクランクも接近し、コンロッド（３）クランク（２）共に磁極の同じ磁気素材にする、もしくはコンロッド（３）クランク（２）共に一部分を同じ磁極の磁気素材にしたものを用いることで生まれる反発力を上下運動、回転運動に転換させる。
【実施例１】
【０００８】  図１から説明します。上下運動するピストンが下死点付近で回転運動するクランクと接近する際、ピストン（１）クランク（２）共に磁極の同じ磁気素材にする、もしくはピストン（１）クランク（２）共に一部分を同じ磁極の磁気素材にしたものを用いることで生まれる反発力を上下運動、回転運動に転換させることができます。
【実施例２】
【０００９】  図２から説明します。上下運動するピストンが下死点付近で回転運動するクランクと接近する際、コンロッドとクランクも接近し、コンロッド（３）クランク（２）共に磁極の同じ磁気素材にする、もしくはコンロッド（３）クランク（２）共に一部分を同じ磁極の磁気素材にしたものを用いることで生まれる反発力を上下運動、回転運動に転換させることができます。
【産業上の利用可能性】
【００１０】  レシプロエンジン他、燃料を使用する動力機構、電気モーターと組み合わせることも可能であるため、自動車産業だけには留まらず広く応用される可能性があります。
【符号の説明】
【００１１】（１）ピストン
（２）クランク
（３）コンロッド
【図１】
2011163337.tif 000003
【図２】
2011163337.tif 000004
(57)【要約】【課題】宴会等や晩酌等でビール・酒・ジュ−ス・ワイン等を飲む時，時間が多少経過すると，目の前にある飲み物が生温くなりとても飲みづらく美味しくありません。本発明では，ボトルク−ラ−の保冷剤を冷凍庫で冷やして外枠体の内側にセットして，その内側にボトルを入れて，多少時間が経っても中身が生温くならない様にするボトルク−ラ−を提供する。【解決手段】宴会等の様に，常温の室内に長時間冷たい飲み物をおくと，飲み物の温度が上昇し生温くなり，美味しさがなくなる。これらの解決手段として，多少の時間常温の室内においても，極端に生温くならない様に筒状の外枠体の内側に，冷凍庫で冷やした保冷剤を内側にセットして，その内側に飲み物のボトルを入れて，飲み物の温度が下がり辛くする事を特徴とする。【選択図】図５
2011163743.tif 000002
【特許請求の範囲】
【請求項１】
外枠体の内側に冷凍庫で冷やした保冷剤を取り付けて飲み物を生温くならない様にするボトルク−ラ−を提供する。
【請求項２】
素材として，外枠体は合成樹脂・ステンレスその他の金属類・木製類・皮類を使用する請求項  １記載のボトルク−ラ−。
【発明の詳細な説明】
【技術分野】
【０００１】本発明は，宴会等色々な場所において，出される飲み物は時間の経過とともに生温くなり美味しさが著しく悪くなるので，それを防止するボトルク−ラ−に関する。
【背景技術】
【０００２】従来より，様々な保冷剤があるが，飲み物をテーブルの上に置いて飲みながら温度を下がらない様に出来る便利な装置は他に見当たらない。
【発明の開示】
【本発明が解決しようとする課題】
【０００３】色々な宴会・居酒屋・クラブ等での飲食・自宅での晩酌等でビール・酒・ジュ−ス・ワイン等を飲む時，又は自動車の中で飲み物を飲む時，時間が多少経過すると目の前にある飲み物が生温くなりとても飲みづらく美味しくありません。
折角冷たい美味しい飲み物を目の前にしても，実際飲む時ボトルから，自分のコップに注いで見ると生ぬるく美味しくない事は残念なことである。
特に真夏のビ−ル等は，時間が経ってから飲んで美味しくない代表的な例である。
これらの課題を解決する為のものである。
【課題を解決する手段】
【０００４】本発明は，それらの課題を解決する為に，筒状の外枠体を設けその内側に高吸水性樹脂即ち硬くならない保冷剤を入れる。
保冷剤は使用する前に冷凍庫で冷やしてから使用する。
その中にボトルに入った飲み物を入れると，常温に出しておいても保冷剤の効果で生温くなり辛い。
【発明の効果】
【０００５】本発明は，下記の効果を有する。
１．ボトルク−ラ−を使用すると，ある程度時間が経ってから飲んでも生温くならない。
２．時間が経っても，生温く成り難いので美味しく飲める。
３．業務用の場合は，企業の繁栄につながる。
【発明を実施するための最良の形態】
【０００６】本発明の実施形態について説明する。
結婚式・新年会・忘年会・その他の宴会・居酒屋・クラブ等での飲食・自宅での晩酌等でビール・酒・ジュ−ス・ワイン等を飲む時，又は自動車の中で飲み物を飲む時，時間が多少経過すると目の前にある飲み物が生温くなりとても飲み辛いく美味しくありません。
折角冷たい飲み物を目の前にしても，実際飲む時ボトルから，自分のコップに注いで見ると生ぬるく美味しくない事は残念なことである。
特に真夏のビ−ル等は，時間が経ってから飲んで美味しくない代表的な例である。
飲む人は，直ぐ飲んでしまいたいと考えていても，どこの宴会も一定の時間コップに入れるまで時間がかかります。
挨拶が長くなり，いざ乾杯まで何とか温度が許されてもその後直ぐどんどん飲み物が生温くなり，とても酔った勢いでなければ喉に通らない事があります。
又，宴会でなくても居酒屋で夢中で話し込みながら飲む時は，結構生温く美味しくないし又，そんな飲み物を飲む事は珍しくない。
これらを解決する為に，本発明では，多少時間が経過してから飲んでも冷蔵庫から出した直後と変わらぬ冷たさを維持できる様に，図５の様にボトルク−ラ−の外枠体の内側に冷凍庫で冷やした保冷剤を入れて，ボトルをその内側に入れる。
これにより，飲むまでに多少時間が経っても生温くなり辛い。【０００７】本発明のボトルク−ラ−の使用方法について説明する。
ボトルの外枠体から，ク−ラ−部分を図４の様に嵩張らない様に平らにして，高吸水性ポリマ−即ち硬くならない冷却剤の部分を冷凍庫で冷やしておく。
使用する時に冷凍庫から取り出し外枠体の内側にセットする。
その保冷剤の内側に飲み物を入れて，テーブルの上に置いておくだけで飲み物の温度上昇防止に十分役に立つ。
【図面の簡単な説明】
【０００８】
【図１】本発明の斜視図
【図２】本発明の平面図
【図３】本発明の正面図
【図４】本発明の分解説明図
【図５】本発明の使用斜視図
【図６】本発明のク−ラ−・保冷剤平面拡大図
【符号の説明】１．ボトルク−ラ−外枠体
２．ボトルク−ラ−・保冷剤
３．外枠体のぞき窓
４．ボトルク−ラ−・保冷剤底
５．飲料水ボトル
６．マジックテ−プ
【図１】
2011163743.tif 000003
【図２】
2011163743.tif 000004
【図３】
2011163743.tif 000005
【図４】
2011163743.tif 000006
【図５】
2011163743.tif 000007
【図６】
2011163743.tif 000008
(57)【要約】【課題】  小型なチャンバーでは消音効果が少ない【解決手段】  図１のチャンバーとサイレンサーの組み合わせと比べても  本件の消音器はテールパイプを絞込み部分の中程まで入れて溶接するだけでサイレンサーを必要としない程に排気音が軽減する、様々な機関に合わせてチャンバーの形や大きさテールパイプ太さなど工夫することで、ほとんどの内燃機関に応用可能と思われる。本発明を実施するためには、チャンバー内部に所定の位置に穴の開いたテールパイプを適切な位置まで差し込み溶接等で固定することにより実現可能である。内燃機関をまわした状態でテールパイプを前後に動かし、図３に示す消音効果の一番よくなる位置までテールパイプを伸ばし調整することで最良の効果を得られる構築が可能になる。【選択図】図３
2011163144.tif 000002
【特許請求の範囲】
【請求項１】
衝撃波の反射波の干渉作用を利用し、チャンバーの後端から絞込み部分の中程までにテールパイプを入れることで消音効果を得る消音器。
【発明の詳細な説明】
【技術分野】
【０００１】
本発明は内燃機関の消音器に関するものである
【背景技術】
【０００２】
従来、内燃機関の消音器について、エキゾーストパイプ（排気管）の中に（図１−全体）マフラーと呼ばれる排気、排熱、消音、排ガス抑制、背圧による出力向上などを複合的に行う装置が存在し、主に消音効果のある太鼓と呼ばれる部位（図１−１）をサイレンサーと呼ぶことが多い。
サイレンサーの主な消音構造には「多段膨張式」と呼ばれる内部を仕切っていくつかの小室に分け、わざと遠回りさせ排気が膨張や収縮などを繰り返すことで音の圧力波を減衰させるもの、または「ストレート排気式」と呼ばれる通路の太さを変化させ、その通路の側壁を構成するパンチングパイプやその外側全周に配置されたグラスウール等の吸音材という構造によって、音の圧力波を減衰し力を分散させて音量を下げる仕組みが存在している。また２ストロークの機関においてはエキゾーストパイプ内に、チャンバーと呼ばれる混合気の充填効率を高める膨張室があるが、消音効果と充填効率の向上がトレードオフの関係にあり性能を高めると消音効果は低くなっている。なお４ストローク機関にもチャンバーは存在するが、膨張室をサイレンサーとして使うことが多い。
【先行技術文献】
【特許文献】
【０００３】
【特許文献１】特開２００７−５１６２５号公報
【発明の概要】
【発明が解決しようとする課題】
【０００４】
本発明は、前述の背景を基に、チャンバー効果を損なうことなく高い消音効果を得ること。
【課題を解決するための手段】
【０００５】
図２に示すように、チャンバー内部に所定の場所に穴の開いたテールパイプを差し込む。テールパイプの穴の位置と穴のサイズ、差し込むテールパイプの長さとテールパイプの口径については、内燃機関の出力や性能に応じて調整を行う。主な調整方法として内燃機関を稼動状態にし、テールパイプを前後することで音の干渉が一番小さくなるところを探り調整を行う。
【発明の効果】
【０００６】
本発明により、チャンバー内部でチャンバー効果を損なうことなく高い消音効果が得られることから、従来の消音装置を従来のものより小型軽量化することが可能になり、自動車やオートバイなど生産コストの削減効果が期待される。
【図面の簡単な説明】
【０００７】
【図１】一般的なチャンバー及びサイレンサーの配置図である
【図２】検証方法及び実施例を示した説明図である
【図３】検証方法のテールパイプの位置と音の変化の相関図である
【発明を実施するための形態】
【０００８】
本発明を実施するためには、チャンバー内部に所定の位置に穴の開いたテールパイプを適切な位置まで差し込み溶接等で固定することにより実現可能である。
【０００９】
内燃機関をまわした状態でテールパイプを前後に動かし、図３に示す消音効果の一番よくなる位置までテールパイプを伸ばし調整することで最良の効果を得られる構築が可能になる。
【実施例１】
【００１０】
排気量１２０CCの２サイクルエンジンにおいて、図３の消音効果が最大になる箇所にテールパイプを配置し、中程に１０ｍｍの穴を２つほど開け溶接等で固定する方法を実施。テールパイプは４ｃｍほど伸ばした状態。
【産業上の利用可能性】
【００１１】
総ての内燃機関において利用可能であり、今後製造する消音器を小型のものに置き換えることが期待される。特に貨物自動車のように下回りに余裕のある自動車では消音効果を十分に活かせる構造を構築できるため効果が大きい。又構造が単純で軽く出来る利点もあり製造コストの軽減も期待できる。
【符号の説明】
【００１２】
１    サイレンサー
２    チャンバー
３    テールパイプ
４    テールパイプの穴
５    消音効果の有る位置を示す
【図１】
2011163144.tif 000003
【図２】
2011163144.tif 000004
【図３】
2011163144.tif 000005
(57)【要約】【課題】  木製の屋根や床版の剛性を高めることで自由なデザインを可能とする。【解決手段】  木材や合板を使用して折版状のものを構成し、折版と交差させた方向に、その両面に木材や合板を一体にすることで、上面に取付けたものが上弦材となり、下面に取付けたものが下弦材となり、折版をラチス材としたラチス梁を構成する。同一版内に折版とラチス梁が存在する剛性の高い木製の版とする。【選択図】図１
2011163103.tif 000002
【特許請求の範囲】
【請求項１】
木材や合板で構成した折版状のものの両面に、それと交差させて木材又は合板を一体にすることで、折版とラチス梁の両方を同一版内にもった木製の版。
【発明の詳細な説明】
【技術分野】
【０００１】本発明は、木製の屋根や床版の構造に関するものである。
【背景技術】
【０００２】従来の屋根や床構造には様々なものがある。本発明に近いものでは、全てが鋼板で構成されたものがある。（例えば、特許文献１参照）
それは、鋼板製の折版の両面に帯状鋼板を一体にしたものであるが、折版を補強してはいるものの明確な強度のあるラチス梁を構成しているとは言えず、また鋼製折版の両面に帯状鋼板を一体に取付けるのは技術にも困難である。
【先行技術文献】
【特許文献】
【０００３】
【特許文献１】特開２０００−２７３５３号公報
【発明の概要】
【発明が解決しようとする課題】
【０００４】木製の屋根や床版の剛性を高くして、自由なデザインが出来るようにする。
【課題を解決するための手段】
【０００５】木材や合板を使用して折版状のもの（以下折版）を作り、その山谷方向に交差して両面に木材や合板を一体にする。上面の材は圧縮材になり下面の材は引張り材になり折版の部材はラチス材になり、それぞれが十分な強度を有することで、折版と交差した方向（以下交差方向）にラチス梁を構成する。折版方向の折版そのものの強度と交差方向のラチス梁の強度が複合し、両方向に剛性の高い版が出来る。ベランダや庇等の跳ね出しの場合は、上面の材は引張りになり下面の材は圧縮材になる。
【発明の効果】版を受けるための梁の必要がなくなる。また、剛性に方向性がないためにどの方向へもそのまま外部へ延長できるのでベランダや庇等において合理的である。また、単体の構造より大きな面積を架構できること、木製であることで作りやすいこと等がある。また、水平の使用に留まらず、斜めでも鉛直の使用でもよい。
【図面の簡単な説明】
【０００６】
【図１】斜視図
【図２】交差方向のラチス梁図
【図３】使用例
【発明を実施するための形態】
【０００７】建築物等の屋根や床等に利用される。木製であるがそれを受ける構造は鉄骨造でもコンクリート造でもよく、また人工の構造物でなくてもよい。また、水平の使用に留まらない。以下、本発明の実施の形態を図１〜図３にもとづいて説明する。
【０００８】折版の構成
図１の折版は、木材や合板を使用して構成する。合板を使用する場合は、合板同士が接合しやすいように接合部材を入れた方が作りやすい。厚めの板を使用する場合は接合部材がなくてもよい。
【０００９】ラチス梁の構成
図２のように交差方向においては、折版がラチス材となりその両面に上弦材及び下弦材となる木材又は合板を一体にすることで、ラチス梁を構成する。上下弦材を木材で構成した場合は、図１のように野地板等の材をそれに取付けることが出来、合板で構成した場合はそれをそのまま野地板等の材にすることが出来る。
【００１０】版の設置
上記で制作した版は、梁で受ける必要がなくなり、図３のようにポイントで受けることが可能となる。
【符号の説明】
【００１１】１      上弦材
２      下弦材
３      折版及びラチス材
【図１】
2011163103.tif 000003
【図２】
2011163103.tif 000004
【図３】
2011163103.tif 000005
(57)【要約】      （修正有）【課題】わが国では昔から地震災害が多く、人々や住宅の被害が甚大であったが震動を吸収することで被害を少なくし、住宅と住人を保護する装置を提供する。【解決手段】ベタ基礎と鉄鋼土台の間に空気の圧縮２、８とコイルばね９の供用で震動を吸収する装置である。又、免震装置を２基ひと組を相互に取り付けすることで建物の一方向だけの揺れを止めることで崩壊を防ぐ。【選択図】図１
2011163105.tif 000002
【特許請求の範囲】
【発明の詳細な説明】
【技術分野】
【０００１】本発明は地震がおきた際に地面のゆれを吸収し住宅につたえにくくするもので、基礎コンクリートと土台の間にこの装置を取り付けることで住宅に住んでいる人と家屋敷を保護する装置である。
【背景技術】
【０００２】これまでわが国では幾多の大地震に見舞われ、多くの尊い命が失われて来た、本発明は地震災害を防ぐために開発したもので、これまでは存在しなかった新しい発明である。
【発明の開示】
【発明が解決しようとする課題】人昔前の住宅は石の上に土台を置いて住宅を建てていた現在では基礎コンクリートの上に土台を置いてそれを金具の（アンカーボルト）で固定し筋かいなどを使用し家屋の倒壊を防いで来た。しかしこの工法だと家屋の倒壊は防げても建物内部のタンスやテレビ等の家具の転倒により怪我人や死亡事故が多発していた。
【課題を解決するための手段】本発明は従来の基礎コンクリートと土台をアンカーボルトで固定する工法とは異なり基礎コンクリート（ベタ基礎）と土台の間にエアースプリング式免新装置を取り付けることで地面の震動を吸収し建物に震動をつたえにくくして建物内部にいる人を守ることができる。
【発明の効果】現在の建物は建築基準法の強化により建物自体は依然より強固なものに仕上がっていることは実に喜ばしいことである。しかし強い地震の時には家屋そのものの倒壊はないにしても地震にも揺れが建物に直に伝わるので中に住んでいる住人には大きな不安が募っていた又、震動が２度、３度とたてつずけにおこった場合には建物にゆがみ、やひずみ、が多く発生するのも事実である。本発明は構造的には基準法の指示に従いますが、地震の震動を吸収する目的で、従来の基礎と土台の一体化を変更し、基礎と土台を分離させ、そこに本発明の免新装置を取り付けることで地表の震動を吸収し建物と住人を地震から保護するものである。
【実施例】本発明は従来の立ち上がり基礎と木造土台を廃止し、ベタ基礎と鉄鋼土台を使用する。ベタ基礎と鉄鋼土台の間に免新装置▲１▼を取り付け地表の震動と同時に、装置内部のピストン▲１３▼が、空気室内部を上（▲２▼、▲３▼）下▲８▼し、空気圧の抵抗で震動を吸収することができる。又空気室だけで吸収しきれない強い震動の場合は外部に取り付けてあるスプリング▲９▼も作用し共振を防止することができる。
【図面の簡単な説明】
【図１】  本発明の正面図である。
【図２】  本発明の取り付け状態を示す図である。
【符号の説明】▲１▼震動吸収装置本体
▲２▼上部空気室
▲３▼外部空気室
▲４▼上部空気弁
▲５▼下部空気弁調整バネ
▲６▼下部空気弁
▲７▼空気通り穴
▲８▼下部空気室
▲９▼震動吸収用スプリング
▲１０▼下部基礎取り付けシャフト部位
▲１１▼スプリング底おさえ板
▲１２▼鉄鋼土台へ取り付け部位
▲１３▼ピストン
▲１４▼空気漏れ防止ゴム
▲１５▼基礎コンクリート
▲１６▼鉄鋼土台
▲１７▼本体上部取り付け部位
▲１８▼本体下部プレート固定用ボルト
▲１９▼基礎コンクレート用鉄筋
▲２０▼本体下部取り付けプレート板
【図１】
2011163105.tif 000003
【図２】
2011163105.tif 000004
【手続補正書】
【提出日】平成22年4月5日(2010.4.5)
【手続補正１】
【補正対象書類名】特許請求の範囲
【補正対象項目名】全文
【補正方法】追加
【補正の内容】
【特許請求の範囲】
【請求項１】
地震が発生した時免震装置内部のピストンが空気室の空気を押し上げ震動を吸収する、押し上げられたピストン棒は反動で下に落ちて来るがその際にも下部の空気室と空気室外部に取り付けてあるコイルスプリングの両方で家屋の震動を柔らかく受け止めることができる。
【請求項２】
免震装置を複数で１組とすることで震動の共振を防ぐ。
【請求項３】
基礎コンクリートと土台の間に免震装置を取り付ける。
(57)【要約】      （修正有）【課題】昼間太陽の出ているときに太陽光発電をして、さらに太陽熱を蓄熱しておき夜間に太陽光熱を利用する。【解決手段】太陽光を取り入れる側に太陽電池である太陽光発電パネル３を取り付ける。太陽電池である太陽光発電パネル３を取り付けた蓄熱する素材４の太陽光発電パネル３を取り付けた側に、硝子１、空気層２で作った複層硝子を取り付ける。蓄熱する素材４に蓄熱された熱が逃げないように断熱材５で囲う。開閉機６を付ける。太陽が当たると太陽光発電パネル３は、電気を発電して、温度が上がり上った温度は、蓄熱する素材４に、蓄熱される。【選択図】図１
2011163104.tif 000002
【特許請求の範囲】
【請求項１】
太陽光発電をして、さらに太陽熱を蓄熱するには。
【請求項２】
特許出願２０１０−１９４８６の太陽光蓄熱システムに、太陽光発電システムを取り入れる。
【請求項３】
許出願２０１０−１９４８６の太陽光蓄熱システムの蓄熱する素材の太陽光を取り入れる側に太陽電池  太陽光発電パネルを取り付ける。
【請求項４】
太陽電池  太陽光発電パネルを取り付けた蓄熱する素材の太陽光発電パネルを取り付けた側に、硝子、耐熱硝子、空気層で作った複層硝子を取り付ける。蓄熱する素材に蓄熱された熱が逃げないように断熱材で囲う。開閉機を付ける。
【請求項５】
太陽が当たると太陽光発電パネルは、電気を発電して、温度が上る上った熱は、蓄熱する素材に、蓄熱される。
【請求項６】
特許出願２００９−２３１９５７のような、造りの住宅は、蓄熱された熱が逃げないように、すでに断熱材で囲われているので、太陽光発電蓄熱システム本体には、断熱材は、必要が無い。蓄熱する素材も太陽光発電蓄熱システム本体には、必要が無い。
【発明の詳細な説明】
【技術分野】
【０００１】      本発明は、太陽光で電気を発電し太陽熱を蓄熱することに関する。
【背景技術】
【０００２】      太陽光蓄熱では、特許出願２０１０−１９４８６の太陽光蓄熱システムがある。発電では、三菱、シャープ、京セラ、他各社に太陽電池の太陽光発電システムがある。
【発明の概要】
【発明が解決しようとする課題】
【０００３】      昼間太陽の出ているときに太陽光発電をして、さらに太陽熱を蓄熱しておき夜間に太陽光熱を利用する。
【課題を解決するための手段】
【０００４】      特許出願２０１０−１９４８６の太陽光蓄熱システムに、太陽光発電システムを取り入れる。【０００５】      特許出願２０１０−１９４８６太陽光蓄熱システムの蓄熱する素材の太陽光を取り入れる側に  太陽光発電パネルを取り付ける。【０００６】      太陽が当たると太陽光発電パネルは、電気を発電して、温度が上る上った熱は、  蓄熱する素材に、蓄熱される。【０００７】      特許出願２００９−２３１９５７のような、造りの住宅は、蓄熱された熱が逃げないように、すでに断熱材で囲われているので、太陽光発電蓄熱システム本体には、断熱材は、必要が無い。蓄熱する素材も太陽光発電蓄熱システム本体には、必要が無い。
【発明の効果】
【０００８】      光熱費の節減になる。
【図面の簡単な説明】
【０００９】
【図１】本発明の実施形態を示す太陽光発電蓄熱システム本体の断面図。
【図２】特許出願２００９−２３１９５７のような、造りの住宅の屋根に取り付けて、使う場合の断面図
【図３】図２で使用する場合の太陽光発電蓄熱システム本体の断面図
【発明を実施するための形態】
【００１０】      以下本発明の実施の形態を図に基づいて説明する。
【００１１】      １図では、太陽光発電パネルを取り付けた蓄熱する素材の太陽光発電パネルを取り付けた側に、符号１，２の硝子、空気層で作った複層硝子を取り付ける。蓄熱する素材に蓄熱された熱が逃げないように符号５の断熱材で囲う。符号６の開閉機を付ける。
太陽が当たると太陽光発電パネルは、電気を発電して、温度が上る、上った熱は、蓄熱する素材に、蓄熱される。
【００１２】      ２図では、特許出願２００９−２３１９５７のような、造りの住宅は、蓄熱された熱が逃げないように、すでに断熱材で囲われているので、太陽光発電蓄熱システム本体には、断熱材は、必要が無い。蓄熱する素材も太陽光発電蓄熱システム本体には、必要が無い。
【産業上の利用可能性】
【００１３】      光熱費の節減になるので利用可能性は大きい。
【符号の説明】
【００１４】１  硝子
２  空気層
３  太陽光発電パネル
４  蓄熱する素材
５  断熱材
６  開閉機
７  太陽光熱
８  ３図の太陽光発電蓄熱システム本体
【図１】
2011163104.tif 000003
【図２】
2011163104.tif 000004
【図３】
2011163104.tif 000005